(57)【要約】【課題】  本発明は、使用者が容器を潰し易く、かつ、容器を潰し切った感覚を得易い貯液部、及びＰＣＡブーストポンプを提供することを目的とする。【解決手段】  液体を貯留し、押し潰されることにより前記液体を吐出させる、ＰＣＡブーストポンプ１００に用いるための貯液部１０において、一端に開口が形成されているとともに他端が閉じられた略円筒形状に形成され、前記円筒形状の外周面は、前記円筒形状の軸線ｃを中心に全周にわたって突出する少なくとも２つの山部１０ａ，１０ｂと、前記山部１０ａ，１０ｂどうしの間に形成された谷部１０ｃとが前記軸線ｃに沿って形成され、前記谷部１０ｃは、前記山部１０ａ，１０ｂよりも前記軸線ｃの延びる方向に潰れ難く形成した。【選択図】  図６
2013081598.tif 000002
【特許請求の範囲】
【請求項１】
液体を貯留し、押し潰されることにより前記液体を吐出させる、ＰＣＡブーストポンプに用いるための貯液部において、
一端に開口が形成されているとともに他端が閉じられた略円筒形状に形成され、
前記円筒形状の外周面は、前記円筒形状の軸線を中心に全周にわたって突出する少なくとも２つの山部と、前記山部どうしの間に形成された谷部とが前記軸線に沿って形成され、
前記谷部は、前記山部よりも前記軸線の延びる方向に潰れ難く形成されたことを特徴とする貯液部。
【請求項２】
請求項１に記載の貯液部において、
前記軸線の延びる方向に押し潰されたときに、前記他端の内側が前記谷部に当たることを特徴とする貯液部。
【請求項３】
請求項１または２に記載の貯液部において、
前記山部は、連続する曲面のみで形成されたことを特徴とする貯液部。
【請求項４】
請求項３に記載の貯液部において、
前記山部は、前記軸線の延びる方向に押し潰されたときに、屈曲せずに連続する曲面で形成された状態を維持することを特徴とする貯液部。
【請求項５】
請求項１乃至４のいずれか１項に記載の貯液部において、
弾性材料で形成されたことを特徴とする貯液部。
【請求項６】
請求項１乃至５のいずれか１項に記載の貯液部において、
前記軸線の延びる方向に押し潰されたときに前記谷部の拡張量を制御するためのリングが、前記谷部の外周に沿って取り付けられたことを特徴とする貯液部。
【請求項７】
請求項６に記載の貯液部において、
前記リングの内径は、前記谷部の外径と略同径であることを特徴とする貯液部。
【請求項８】
請求項６または７に記載の貯液部において、
前記リングは、円形形状の断面を有することを特徴とする貯液部。
【請求項９】
請求項１乃至８のいずれか１項に記載の貯液部において、
前記一端または前記他端に形成された前記山部の各々は、前記一端または前記他端側が前記谷部側よりも緩やかな曲面で形成されたことを特徴とする貯液部。
【請求項１０】
請求項１乃至９のいずれか１項に記載の貯液部を備えたＰＣＡブーストポンプにおいて、
前記貯液部はケースに収容され、前記ケースは、前記貯液部を前記軸線の延びる方向に押し潰すためのロッドが設けられるとともに、前記ロッドの外部に位置する部分を覆うための壁部が形成されたことを特徴とするＰＣＡブーストポンプ。
【請求項１１】
請求項１０に記載のＰＣＡブーストポンプにおいて、
前記壁部は、前記ロッドに沿って板形状に形成されたことを特徴とするＰＣＡブーストポンプ。
【請求項１２】
請求項１０または１１に記載のＰＣＡブーストポンプにおいて、
前記壁部は、コの字形状を有して前記ロッドを囲うように形成されたことを特徴とするＰＣＡブーストポンプ。
【請求項１３】
請求項１乃至９のいずれか１項に記載の貯液部を備えたＰＣＡブーストポンプにおいて、
前記貯液部はケースに収容され、前記ケースは、外部から前記貯液部を視認可能な窓が形成されたことを特徴とするＰＣＡブーストポンプ。
【請求項１４】
請求項１乃至９のいずれか１項に記載の貯液部を備えたＰＣＡブーストポンプにおいて、
前記貯液部はケースに収容され、前記ケースは、前記軸線の延びる方向の一端に前記軸線と略垂直な面が形成されるとともに、前記軸線の延びる方向の他端に前記貯液部を前記軸線の延びる方向に押し潰すためのロッドが設けられたことを特徴とするＰＣＡブーストポンプ。
【発明の詳細な説明】
【技術分野】
【０００１】
本発明は、液体を貯留し、押し潰されることにより液体を吐出させる、ＰＣＡブーストポンプに用いるための貯液部、及びこの貯液部を備えたＰＣＡブーストポンプに関する。
【背景技術】
【０００２】
従来、液体を貯留し、貯留した液体を吐出させるポンプが知られている（例えば、特許文献１参照）。この種のポンプは、患者に薬液等の液体を投与するのに用いられている。また、このポンプと患者との間に接続され、患者が痛みを感じた時に、自らポンプを操作して鎮痛薬を投与することのできるＰＣＡ（Ｐａｔｉｅｎｔ  Ｃｏｎｔｒｏｌｌｅｄ  Ａｎａｌｇｅｓｉａ）ブーストポンプがある。ＰＣＡブーストポンプは、例えば、枕形状の小さな袋状容器に鎮痛薬が貯留されており、患者は、袋状容器を潰すことにより、鎮痛薬を自ら投与していた。
【先行技術文献】
【特許文献】
【０００３】
【特許文献１】特表２０１０−５２７２５５号公報
【発明の概要】
【発明が解決しようとする課題】
【０００４】
しかしながら、上記従来のＰＣＡブーストポンプでは、容器を潰し切ったか否かを感覚的に判断するのは困難であった。このため、術後の痛みを抱えた患者にとって、このような作業を行うことはとても大きなストレスに繋がり、患者のＱＯＬ（Ｑｕａｌｉｔｙ  ｏｆ  Ｌｉｆｅ）の低下に繋がっていた。
【０００５】
本発明の目的は、上述した従来の技術が有する課題を解消し、使用者が容器を潰し易く、かつ、容器を潰し切った感覚を得易い貯液部、及びＰＣＡブーストポンプを提供することにある。
【課題を解決するための手段】
【０００６】
本発明は、液体を貯留し、押し潰されることにより前記液体を吐出させる、ＰＣＡブーストポンプに用いるための貯液部において、一端に開口が形成されているとともに他端が閉じられた略円筒形状に形成され、前記円筒形状の外周面は、前記円筒形状の軸線を中心に全周にわたって突出する少なくとも２つの山部と、前記山部どうしの間に形成された谷部とが前記軸線に沿って形成され、前記谷部は、前記山部よりも前記軸線の延びる方向に潰れ難く形成されたことを特徴とする。
【０００７】
この場合において、前記軸線の延びる方向に押し潰されたときに、前記他端の内側が前記谷部に当たってもよい。前記山部は、連続する曲面のみで形成されてもよい。前記山部は、前記軸線の延びる方向に押し潰されたときに、屈曲せずに連続する曲面で形成された状態を維持してもよい。弾性材料で形成されていてもよい。前記軸線の延びる方向に押し潰されたときに前記谷部の拡張量を制御するためのリングが、前記谷部の外周に沿って取り付けられていてもよい。前記リングの内径は、前記谷部の外径と略同径であってもよい。前記リングは、円形形状の断面を有していてもよい。前記一端または前記他端に形成された前記山部の各々は、前記一端または前記他端側が前記谷部側よりも緩やかな曲面で形成されていてもよい。
【０００８】
また、この場合において、前記貯液部はケースに収容され、前記ケースは、前記貯液部を前記軸線の延びる方向に押し潰すためのロッドが設けられるとともに、前記ロッドの外部に位置する部分を覆うための壁部が形成されていてもよい。前記壁部は、前記ロッドに沿って板形状に形成されていてもよい。前記壁部は、コの字形状を有して前記ロッドを囲うように形成されていてもよい。
【０００９】
さらに、この場合において、前記貯液部は、ケースに収容され、前記ケースは、外部から前記貯液部を視認可能な窓が形成されていてもよい。前記貯液部は、ケースに収容され、前記ケースは、前記軸線の延びる方向の一端に前記軸線と略垂直な面が形成されるとともに、前記軸線の延びる方向の他端に前記貯液部を前記軸線の延びる方向に押し潰すためのロッドが設けられていてもよい。
【発明の効果】
【００１０】
本発明によると、使用者が容器を潰し易く、かつ、容器を潰し切った感覚を得易くすることができる。
【図面の簡単な説明】
【００１１】
【図１】本実施形態に係るＰＣＡブーストポンプを示す図である。
【図２】貯液部を示す正面図である。
【図３】貯液部が潰れる様子を示す模式図である。
【図４】貯液部内の液体の流れを示す断面図である。
【図５】リングが取り付けられた貯液部を示す正面図である。
【図６】ＰＣＡブーストポンプの内部を示す上面図である。
【図７】ＰＣＡブーストポンプの内部を示す上面図である。
【図８】使用者がＰＣＡブーストポンプのロッドを親指で操作している様子を示す図である。
【図９】使用者がＰＣＡブーストポンプのロッドを手の平で操作している様子を示す図である。
【図１０】図１０（ａ）は、ＰＣＡブーストポンプの変形例を示す図であり、図１０（ｂ）は、ＰＣＡブーストポンプの変形例を示す上面図である。
【図１１】図１１（ａ）は、ＰＣＡブーストポンプの変形例を示す図であり、図１１（ｂ）は、ＰＣＡブーストポンプの変形例を示す上面図である。
【図１２】ケースの変形例を示す図である。
【図１３】ロッドの変形例を示す図である。
【図１４】図１４（ａ）は、ＰＣＡブーストポンプの変形例を示す図であり、図１４（ｂ）は、押し子ガードのクランプ部がロッドに取り付けられた状態を示す図である。
【図１５】押し子ガードを示す図である。
【発明を実施するための形態】
【００１２】
以下、図面を参照して、本発明の好適な実施の形態について説明する。
【００１３】
図１は、本実施形態に係るＰＣＡブーストポンプを示す図である。
【００１４】
ＰＣＡブーストポンプ１００は、自らポンプを操作して鎮痛薬を投与するためのＰＣＡポンプであり、ケース１、ロッド２、チューブ３、及びジョイント４を備えている。
【００１５】
ケース１は、ロッド２及びチューブ３が取り付けられている。このケース１は、内部を視認可能な窓５を有し、この窓５から、ロッド２のケース１内に位置するロッド先端２ａ、後述する貯液部１０及びリング１１が外部から視認可能になっている。ＰＣＡブーストポンプ１００は、窓５が形成されていることにより、使用者がロッド２を押し切ったことを目視により確認することができる。なお、この窓は、内部の様子が外部から視認可能になっていれば開口等であってもよい。
【００１６】
ロッド２は、ケース１に対してスライド可能にケース１に取り付けられている。
【００１７】
チューブ３は、ロッド２が取り付けられた位置の反対側でケース１に取り付けられている。
【００１８】
ジョイント４は、チューブ３に取り付けられている。このジョイント４は、端部に雌ねじが形成されていることにより、他の器具に取り付け可能になっている。なお、本実施形態ではジョイント４が取り付けられているが、通常、ＰＣＡブーストポンプ１００は、ジョイント４が取り付けられておらず、他の機器がチューブ３に直接接着されるようになっている。
【００１９】
図２は、ケースに収納された貯液部を示す正面図である。
【００２０】
貯液部１０は、内部に鎮痛薬等の液体を貯留するための容器であり、山部１０ａ，１０ｂ、谷部１０ｃ、チューブ取付部１０ｄ、及びロッド取付部１０ｅを備えている。山部１０ａ，１０ｂ、谷部１０ｃ、及びチューブ取付部１０ｄは略円筒形状に形成され、ロッド取付部１０ｅは円柱形状に形成されている。これにより、貯液部１０は、全体として、一端に開口が形成されているとともに他端が閉じられた略円筒形状に形成され、円筒形状の外周面に、円筒形状の軸線ｃを中心に全周にわたって外側に突出する２つの山部１０ａ，１０ｂと、これら山部１０ａ，１０ｂどうしの間に形成された谷部１０ｃと、が軸線ｃに沿って形成されている。貯液部１０は、ロッド取付部１０ｅ、山部１０ａ、谷部１０ｃ、山部１０ｂ、及びチューブ取付部１０ｄの順に同軸で形成されている。貯液部１０は、例えばＰＶＣ（ポリ塩化ビニル）である弾性材料で形成されている。
【００２１】
チューブ取付部１０ｄは、山部１０ｂから突出した略円筒形状に形成され、内側にチューブ３（図１参照）が取り付けられるようになっている。このチューブ取付部１０ｄは、山部１０ｂとの境目に、フランジ状に外側に突出した段部１０ｆが形成されている。これにより、チューブ取付部１０ｄは、山部１０ｂに対してたわみ難くなっている。
【００２２】
ロッド取付部１０ｅは、山部１０ａから突出した円柱形状に形成され、ロッド先端２ａ（図１参照）に形成された穴部２ｂ（図６参照）に挿入可能になっている。このロッド取付部１０ｅは、中実に形成されている。
【００２３】
山部１０ａと山部１０ｂとは、谷部１０ｃに対して略対称に略同形状で形成されている。これら山部１０ａ，１０ｂは、それぞれ谷部１０ｃとの境界からチューブ取付部１０ｄとの境界、または、谷部１０ｃとの境界からロッド取付部１０ｅとの境界にかけて連続する曲面のみで形成されている。また、山部１０ａ，１０ｂは、それぞれ谷部１０ｃ側の方がチューブ取付部１０ｄまたはロッド取付部１０ｅ側よりも急激に外径が広がるような曲面で形成されている。すなわち、山部１０ａ，１０ｂは、図２に示すように、山部１０ａ，１０ｂの最も外径の大きな位置までが、谷部１０ｃ側よりもチューブ取付部１０ｄまたはロッド取付部１０ｅ側の方が緩やかな曲面なるように形成されている。これにより、山部１０ａ，１０ｂは、最も外径の大きな領域がそれぞれ谷部１０ｃ側に寄っている。
【００２４】
谷部１０ｃは、図２に示すように、軸線ｃの延びる方向の長さｔ１が山部１０ａ，１０ｂの軸線ｃの延びる方向の長さｔ２よりも短く形成されている。谷部１０ｃは、軸線ｃの延びる方向に略対称な形状になるように形成されている。谷部１０ｃは、山部１０ａ，１０ｂよりも軸線ｃの延びる方向に潰れ難く形成されている。
【００２５】
図３は、貯液部が潰れる様子を示す模式図である。ここで、図３（ａ）は、貯液部１０が潰れる前の様子を示し、図３（ｂ）は、貯液部１０が潰れた様子を示している。また、図４は、貯液部内の液体の流れを示す断面図である。
【００２６】
貯液部１０は、いわゆるダンプリング（Ｄｕｍｐｌｉｎｇｓ）構造を有しており、上述したように、山部１０ａ，１０ｂが貯液部１０で最も軸線ｃの延びる方向に潰れ易く形成されている。一方、谷部１０ｃは、山部１０ａ，１０ｂよりも軸線ｃの延びる方向に潰れ難く形成されている。このため、図３（ａ）に示すような貯液部１０のモデルに軸線ｃの延びる方向に力が付加されると、主に山部１０ａ，１０ｂが潰れて図３（ｂ）に示すように潰れるようになっている。
【００２７】
このとき、貯液部１０内に貯留された液体は、図４に示すように、先ず、チューブ取付部１０ｄ内と山部１０ａ，１０ｂ及び谷部１０ｃの中央領域とに貯留されていた液体が、図中矢印ｆ１で示すようにチューブ取付部１０ｄを通って外部に吐出される。
【００２８】
チューブ取付部１０ｄ内と山部１０ａ，１０ｂ及び谷部１０ｃの中央領域とに貯留されていた液体が外部に吐出されると、ロッド取付部１０ｅ側の山部１０ａ内の外壁側の領域に貯留されていた液体が、図中矢印ｆ２で示すようにチューブ取付部１０ｄを通って外部に吐出される。
【００２９】
山部１０ｂ内の外壁側の領域に貯留されていた液体が外部に吐出されると、チューブ取付部１０ｄ側の山部１０ｂ内の外壁側の領域に貯留されていた液体が、図中矢印ｆ３で示すようにチューブ取付部１０ｄを通って外部に吐出される。以上により、貯液部１０内の液体のほとんどが吐出される。
【００３０】
図５は、リングが取り付けられた貯液部を示す正面図である。
【００３１】
ＰＶＣの厚みに依存するが、貯液部１０は、軸線ｃの延びる方向に潰されたときに、内部に貯留された液体による圧力を受けて、図５に矢印ｗで示す方向に膨張してしまうことがある。これにより、軸線ｃの延びる方向に山部１０ａに付加された力は、貯液部１０の膨張により逃げてしまい、山部１０ｂやチューブ取付部１０ｄに伝わる力が弱まってしまう。このため、貯液部１０の谷部１０ｃには、貯液部１０が軸線ｃの延びる方向に押し潰されたときに谷部１０ｃの拡張量を制御するためのリング１１を取り付けてもよい。このリング１１は、内径が谷部１０ｃの外径と略同径に形成されており、中実の円形断面を有している。貯液部１０は、谷部１０ｃの外周に沿ってリング１１が取り付けられることにより、谷部１０ｃの矢印ｗ方向への膨張が抑えられ、山部１０ａに付加された軸線ｃの延びる方向の力を効率良く山部１０ｂやチューブ取付部１０ｄに伝達することができる。なお、リング１１の形状等は中実の円形断面に限らず、形状等を変更することにより谷部１０ｃの拡張量を調節して貯液部１０の潰れ方を調節することができる。
【００３２】
図６は、ＰＣＡブーストポンプの内部を示す上面図である。また、図７は、ロッドを押し込んだときのＰＣＡブーストポンプの内部を示す上面図である。
【００３３】
貯液部１０は、図６に示すように、ケース１に形成された室１ａに収納されている。ケース１は、貯液部１０の軸線ｃに沿って、室１ａと外部とを連通させる２つの孔が室１ａを挟んで形成されている。ケース１の一方の孔は、挿入されたチューブ３が通って貯液部１０のチューブ取付部１０ｄに取り付けられ、他方の孔は、ロッド２が取り付けられている。
【００３４】
貯液部１０は、一端においてチューブ取付部１０ｄが室１ａの当接部１ｂに当たっている。一方、貯液部１０は、他端においてロッド取付部１０ｅがロッド２の穴部２ｂに挿入されるとともに、山部１０ａのロッド取付部１０ｅ側の端面がロッド先端２ａに当たっている。
【００３５】
使用者によってロッド２が押し込まれると、図７に示すように、ロッド２は室１ａの当接部１ｂに向かって、軸線ｃに沿って移動する。このとき、主に山部１０ａ，１０ｂが軸線ｃの延びる方向に潰れる。室１ａは、山部１０ａ，１０ｂが潰れ切ったときに丁度当たる程度の幅で形成されている。谷部１０ｃ及びリング１１は、図７では潰れた山部１０ａと山部１０ｂとが被さって見えなくなっているが、軸線ｃの延びる方向にほとんど潰れずに、潰れた山部１０ａと山部１０ｂとの間に挟まっている。このとき、山部１０ａ，１０ｂは、軸線ｃの延びる方向に押し潰されても、屈曲せずに連続する曲面のみで形成された状態を維持している。
【００３６】
使用者がロッド２を奥まで押し切って貯液部１０が最後まで潰れると、貯液部１０内では、山部１０ａの内面が谷部１０ｃの内面に突き当たり、谷部１０ｃの内面が山部１０ａの内面に突き当たる。これにより、使用者は、ロッド２を奥まで押し切ったという感覚をはっきりと得ることができる。
【００３７】
図８は、使用者がＰＣＡブーストポンプのロッドを親指で操作している様子を示す図である。
【００３８】
通常のＰＣＡブーストポンプ１００の使用方法では、図８（ａ）に示すように、使用者は、親指をロッド２の端部に載せるとともに、その他の指と手の平でケース１を握りしめるようにしてＰＣＡブーストポンプ１００を保持する。
【００３９】
次に、図８（ｂ）に示すように、使用者は、親指を用いてロッド２をケース１に押し込むことにより、貯液部１０が潰れて貯液部１０内の液体がチューブ３内に吐出される。
【００４０】
図９は、使用者がＰＣＡブーストポンプのロッドを手の平で操作している様子を示す図である。
【００４１】
ケース１は、貯液部１０の軸線ｃと略垂直な支持面１ｃが形成されている。
【００４２】
握力の弱い人が使用する場合のＰＣＡブーストポンプ１００の使用方法では、図９（ａ）で示すように、使用者は、手の平をロッド２の端部に載せるとともに、中指と薬指とでチューブ３を挟み込むようにケース１の指示面１ｃを押さえるようにしてＰＣＡブーストポンプ１００を保持する。
【００４３】
次に、図９（ｂ）に示すように、使用者が手の平を用いてロッド２をケース１に押し込むことにより、貯液部１０が潰れて貯液部１０内の液体がチューブ３内に吐出される。この方法によると、主に中指及び薬指の２本の指でロッド２をケース１に押し込むため、親指１本でロッド２をケース１に押し込む場合よりも操作が軽く感じられる。
【００４４】
本実施形態では、貯液部１０は、軸線ｃを中心に全周にわたって突出する少なくとも２つの山部１０ａ，１０ｂと、山部１０ａ，１０ｂどうしの間に形成された谷部１０ｃと、が軸線ｃに沿って形成され、谷部１０ｃは、山部１０ａ，１０ｂよりも軸線ｃの延びる方向に潰れ難く形成されている。これにより、貯液部１０は、軸線ｃの延びる方向に押し潰されるときに山部１０ａが谷部１０ｃにしっかりと支えられながら真っ直ぐに潰れるので、山部１０ａに付加された力が山部１０ｂに力が伝わり易い。このため、使用者が貯液部１０を潰し易くなるようにすることができる。また、貯液部１０が最後まで潰れると、山部１０ａの内面が谷部１０ｃの内面に突き当たり、谷部１０ｃの内面が山部１０ａの内面に突き当たる。このため、使用者が貯液部１０を潰し切った感覚を得易くすることができる。
【００４５】
また、本実施形態に係るＰＣＡブーストポンプは、貯液部１０が軸線ｃの延びる方向に押し潰されるときに、山部１０ａ，１０ｂに効率良く力が伝わって、谷部１０ｃを挟んで山部１０ａ，１０ｂがしっかりと潰れるため、貯液部１０内に残留する液体を少なくすることができる。
【００４６】
さらに、本実施形態では、山部１０ａ，１０ｂが連続する曲面で形成されている。これにより、山部１０ａ，１０は、復元力を有するとともに、鋭角な部分がないためピンホール等による漏れや気泡が生じ難くなっている。
【００４７】
さらにまた、本実施形態では、貯液部１０にはリング１１が取り付けられている。これにより、貯液部１０の谷部１０ｃ近傍の強度を上げて谷部１０ｃの拡張量を調節することができるため、貯液部１０内の力の伝わる方向や貯液部１０の潰れ方等を調節することができる。
【００４８】
また、本実施形態では、使用者は、親指をロッド２の端部に載せるとともに、その他の指と手の平とでケース１を握りしめるようにしてＰＣＡブーストポンプ１００を保持することができる。このため、使用者の握力差による影響を軽減し、握力の小さい使用者であっても、安定した吐出量を得ることができる。
【００４９】
以上、実施形態に基づいて本発明を説明したが、本発明は、これに限定されるものではない。例えば、実施形態では、２つの山部１０ａ，１０ｂを有するだるま形の貯液部１０を用いて説明しているが、これに限られることはない。例えば、山部と谷部とが交互に形成されていれば、３つ以上の山部を有する貯液部であってもよい。
【００５０】
また、上記実施形態では、山部１０ａ，１０ｂ及び谷部１０ｃは、連続する曲面のみで形成されているが、これに限られることはない。山部及び谷部は、例えば、山部の頂部及び谷部の底部がそれぞれ軸線に沿って軸線からの距離が略均一に形成されたクランク形状断面を有するように形成してもよい。
【００５１】
さらに、上記実施形態では、ロッド２の端部２ｃ近傍が全て外部に露出しているが、これに限られることはない。例えば、図１０（ａ）に示すように、ロッド２の端部２ｃ近傍をロッド２のケース１の外部に位置する部分と略同じ高さ、かつ、ロッド２の端部２ｃと略同幅の板形状にロッド２に沿って形成された後壁部１ｄを設けてもよい。このとき、ロッド２の端部２ｃは、図１０（ｂ）に示すように、ＰＣＡブーストポンプ１００をロッド２の端部２ｃ側から見て略矩形に形成されており、また、後壁部１ｄはロッド２の端部２ｃの長辺に沿って形成されている。また、例えば、図１１（ａ）に示すように、ロッド２の端部２ｃ近傍をロッド２の外部に位置する部分と略同じ高さの後壁部１ｄ及び一対の側壁部１ｅ，１ｅで囲んでもよい。このとき、ロッド２の端部２ｃは、図１１（ｂ）に示すように、ＰＣＡブーストポンプ１００をロッド２の端部２ｃ側から見て略矩形に形成されており、後壁部１ｄ及び側壁部１ｅ，１ｅは、後壁部１ｄと一対の側壁部１ｅ，１ｅとでロッド２を囲うようにコの字形状に形成されている。これらの変形例では、ケース１の外部に位置するロッド２の端部２ｃ近傍はその一部が後壁部１ｄや側壁部１ｅによって覆われており、落下等により誤ってロッド２がケース１内に押し込まれることが防止されるため、使用者の意図によらない液体の吐出を防止することができる。
【００５２】
さらにまた、ケース１は、図１２に示すように、使用者がＰＣＡブーストポンプ１００を握ったときに、手の中でＰＣＡブーストポンプ１００が滑ることを防止するためのリブ１ｆが形成されていてもよい。なお、図１２は、ロッド２がケース１内に押し込まれた状態を示している。
【００５３】
また、ロッド２は、図１３に示すように、ロッド２がケース１から飛び出る方向の移動範囲を規制するためのストッパ２ｄが形成されていてもよい。ＰＣＡブーストポンプ１００は、ロッド２にストッパ２ｄが形成されたことにより、貯液部１０が潰れる前の状態において、ロッド２がケース１から飛び出る方向に移動してしまうことによるロッド２のガタつきを防止することができる。
【００５４】
さらに、ＰＣＡブーストポンプ１００は、図１４（ａ）に示すように、押し子ガード２０がケース１に取り付けられていてもよい。この押し子ガード２０は、弾性部材で形成されており、図１５に示すように、ロッド２を挟み込むためのクランプ部２０ａと、クランプ部２０ａをロッド２に取り付けたり取り外したりするときに使用者がつまんで保持するためのつまみ部２０ｂとを備えている。押し子ガード２０は、さらにケース１に取り付けられるための取付部２０ｃ，２０ｄと、これら取付部２０ｃ，２０ｄとクランプ部２０ａ及び摘み部２０ｂとを結ぶひも状の接続部２０ｅとを備えている。押し子ガード２０は、図１４（ａ）に示すように、ロッド２をケース１に押し込み可能な通常時は、ロッド２から取り外されてケース１からぶら下がった状態になっている。一方、図１４（ｂ）に示すように、誤作動防止目的のために押し子ガード２０をロッド２に取り付ける際には、使用者はつまみ部２０ｂをつまんでクランプ２０ａをロッド２に挟み込ませる。これによりクランプ部２０ａがロッド２の端部２ｃとケース１との間に挟まり、ロッド２はケース１内に押し込まれないようになっている。
【符号の説明】
【００５５】
１      ケース
１ａ    室
１ｂ    当接部
１ｃ    支持面
１ｄ    後壁部
１ｅ    側壁部
１ｆ    リブ
２      ロッド
２ａ    ロッド先端
２ｂ    穴部
２ｃ    端部
２ｄ    ストッパ
３      チューブ
４      ジョイント
５      窓
１０      貯液部
１０ａ    山部
１０ｂ    山部
１０ｃ    谷部
１０ｄ    チューブ取付部
１０ｅ    ロッド取付部
１０ｆ    段部
１１      リング
２０      押し子ガード
２０ａ    クランプ部
２０ｂ    つまみ部
２０ｃ    取付部
２０ｄ    取付部
２０ｅ    接続部
１００      ＰＣＡブーストポンプ
ｃ      軸線
【図１】
2013081598.tif 000003
【図２】
2013081598.tif 000004
【図３】
2013081598.tif 000005
【図４】
2013081598.tif 000006
【図５】
2013081598.tif 000007
【図６】
2013081598.tif 000008
【図７】
2013081598.tif 000009
【図８】
2013081598.tif 000010
【図９】
2013081598.tif 000011
【図１０】
2013081598.tif 000012
【図１１】
2013081598.tif 000013
【図１２】
2013081598.tif 000014
【図１３】
2013081598.tif 000015
【図１４】
2013081598.tif 000016
【図１５】
2013081598.tif 000017